(57)【要約】【課題】  電気光学装置において領域走査により正常に画像表示を行う。【解決手段】  画像表示領域を分割して得られる複数の部分領域に対して交替に且つ各部分領域における複数の走査線に対して順番に、走査信号を供給する走査線駆動回路と、１フィールド期間毎に垂直帰線期間を空けて分断されるように、且つ複数の部分領域の各々を、１水平走査期間を複数の部分領域の総数ｎで割った１／ｎ水平走査期間で水平走査するように、表示データに基づいて画像信号を生成して複数のデータ線に供給する画像信号供給回路とを備えており、走査線駆動回路は、複数の走査線のうち画像表示領域における走査線に沿った一辺の縁に位置する一の走査線に対する走査信号の供給順序が１フィールド期間毎に最後になるように、走査信号を供給する。【選択図】  図６
2006065291.tif 000002
【特許請求の範囲】
【請求項１】
基板上の画像表示領域に、複数のデータ線及び複数の走査線と、前記走査線及び前記データ線に夫々電気的に接続される複数の画素部とを備える電気光学装置を駆動するための駆動回路であって、
前記画像表示領域を、前記走査線に沿う分割線により分割して得られる複数の部分領域について、該複数の部分領域に対して交替に且つ各部分領域における前記複数の走査線に対して順番に、走査信号を供給する走査線駆動回路と、
表示データに係る垂直同期信号により規定される１フィールド期間毎に垂直帰線期間を空けて分断されるように、且つ前記複数の部分領域の各々を、前記表示データに係る水平同期信号により規定される１水平走査期間を前記複数の部分領域の総数ｎ（但し、ｎは２以上の自然数）で割った１／ｎ水平走査期間で水平走査するように、前記表示データに基づいて画像信号を生成して前記複数のデータ線に供給する画像信号供給回路と
を備えており、
前記走査線駆動回路は、前記複数の走査線のうち前記画像表示領域における前記走査線に沿った一辺の縁に位置する一の走査線に対する前記走査信号の供給順序が前記１フィールド期間毎に最後になるように、前記走査信号を供給することを特徴とする電気光学装置の駆動回路。
【請求項２】
前記画像信号供給回路は、前記１フィールド期間を前記総数ｎで割った１／ｎフィールド期間で、前記画像表示領域を垂直走査するように、前記画像信号を生成することを特徴とする請求項１に記載の電気光学装置の駆動回路。
【請求項３】
前記画像信号供給回路は、前記画像信号を、基準電位に対して正極性及び負極性の電圧のいずれかに夫々調整しつつ生成することを特徴とする請求項１又は２に記載の電気光学装置の駆動回路。
【請求項４】
前記垂直同期信号及び前記水平同期信号に基づいて、前記１フィールド期間における最後の前記１水平走査期間が、前記最後の走査信号の供給期間の開始時以降、前記垂直帰線期間の終了時以内の期間内に終了するように、前記最後の１水平走査期間の長さを調整する補正回路を更に備えること
を特徴とする請求項１から３のいずれか一項に記載の電気光学装置の駆動回路。
【請求項５】
前記複数の部分領域は、前記分割線により分割して得られる二つの部分領域であり、
前記走査線駆動回路は、前記二つの部分領域に対して交互に且つ前記各部分領域における前記走査線に対して線順次に前記走査信号を供給することを特徴とする請求項１から４のいずれか一項に記載の電気光学装置の駆動回路。
【請求項６】
前記複数の部分領域は夫々、前記分割線により分割して得られる四つの部分領域であり、
前記走査線駆動回路は、前記四つの部分領域に対して交替に且つ前記各部分領域における前記走査線に対して線順次に前記走査信号を供給することを特徴とする請求項１から４のいずれか一項に記載の電気光学装置の駆動回路。
【請求項７】
請求項１から６のいずれか一項に記載の電気光学装置の駆動回路を備えることを特徴とする電気光学装置。
【請求項８】
請求項７に記載の電気光学装置を具備してなることを特徴とする電子機器。
【請求項９】
基板上の画像表示領域に、複数のデータ線及び複数の走査線と、前記走査線及び前記データ線に夫々電気的に接続される複数の画素部とを備える電気光学装置を駆動するための駆動方法であって、
前記画像表示領域を、前記走査線に沿う分割線により分割して得られる複数の部分領域について、該複数の部分領域に対して交替に且つ各部分領域における前記複数の走査線に対して順番に、走査信号を供給する第１工程と、
表示データに係る垂直同期信号により規定される１フィールド期間毎に垂直帰線期間を空けて分断されるように、且つ前記複数の部分領域の各々を、前記表示データに係る水平同期信号により規定される１水平走査期間を前記複数の部分領域の総数ｎ（但し、ｎは２以上の自然数）で割った１／ｎ水平走査期間で水平走査するように、前記表示データに基づいて画像信号を生成して前記複数のデータ線に供給する第２工程と
を備えており、
前記第１工程では、前記複数の走査線のうち前記画像表示領域における前記走査線に沿った一辺の縁に位置する一の走査線に対する前記走査信号の供給順序が前記１フィールド期間毎に最後になるように、前記走査信号を供給することを特徴とする電気光学装置の駆動方法。
【請求項１０】
前記第２工程では、前記１フィールド期間を前記総数ｎで割った１／ｎフィールド期間で、前記画像表示領域を垂直走査するように、前記画像信号を生成することを特徴とする請求項９に記載の電気光学装置の駆動方法。
【請求項１１】
前記第２工程では、前記画像信号を、基準電位に対して正極性及び負極性の電圧のいずれかに夫々調整しつつ生成することを特徴とする請求項９又は１０に記載の電気光学装置の駆動方法。
【発明の詳細な説明】
【技術分野】
【０００１】
本発明は、例えば液晶装置等の電気光学装置を駆動する駆動回路及び駆動方法、該駆動回路を備えてなる電気光学装置、並びにそのような電気光学装置を具備してなる例えば液晶プロジェクタ等の電子機器の技術分野に関する。
【背景技術】
【０００２】
この種の駆動回路によって駆動される電気光学装置の一例として、基板上の画像表示領域に、縦横に配線されたデータ線及び走査線、並びにそれらの交点に対応して形成された画素部を備える液晶装置がある。
【０００３】
このような液晶装置では、例えば、パーソナルコンピュータやビデオデッキ等から供給されるソース信号に基づいて、表示データ生成回路によって、水平同期信号及び垂直同期信号並びに表示データが生成される。そして、これらの水平同期信号及び垂直同期信号並びに表示データに基づいて、駆動回路によって各画素部が駆動される。尚、通常、連続する二つの水平同期信号の出力タイミングの間隔即ち１水平走査期間が、基本的に時間軸上で一定期間となるように、水平同期信号は、生成されている。
【０００４】
ここで、画像表示領域を走査線に沿った分割線によって分割して得られる複数の部分領域を次のように領域走査することにより画像表示を行う独自の駆動方法が本願発明者らによって見出されている。即ち、この駆動方法によれば、駆動回路は、水平同期信号及び垂直同期信号に基づいて走査信号を生成し、各部分領域に交替に且つ各走査線に順番に走査信号を供給する。また、複数の部分領域のうち対となる二つの部分領域について、二つの部分領域のうち一方の部分領域の画素部と、二つの部分領域のうち他方の部分領域の画素部とが、走査線が選択される周期で、基準電位に対して互いに異なる極性の画像信号に基づいて駆動されるように、駆動回路によって表示データに基づいて生成された画像信号が、各データ線に供給される。このような駆動方法によれば、複数の部分領域が二つの部分領域である場合に、二つの垂直同期信号の出力タイミングの間隔によって規定される１フィールド期間に、各画素部に一画面を表示するための画像信号が極性を変えて二度書き込まれることとなる。
【０００５】
【特許文献１】特開２００４−１７７９３０号公報
【発明の開示】
【発明が解決しようとする課題】
【０００６】
例えばパーソナルコンピュータの表示装置のビデオ規格が例えばＳＶＧＡ（Ｓｕｐｅｒ
ＶＧＡ（ビデオグラフィックスアダプタ））であって、液晶装置のビデオ規格が例えばＸＧＡ（拡張グラフィックアレイ）である場合、表示装置と液晶装置とでは、画像表示を行うための総画素数或いは駆動周波数が異なる。このため、総画素数或いは駆動周波数が異なる仕様であるソース信号或いは表示データを、液晶装置に合うように変換する、所謂ダウンコンバートやアップコンバートが行われる場合がある。そして、係る変換の際に、水平同期信号の総数は、垂直同期信号の総数の整数倍とならない場合がある。この結果、１フィールド期間内で、殆ど全ての水平走査期間を一定期間にすることは可能であるが、最後の１水平走査期間が、一定期間とならない事態が生じ得る。言い換えれば、各フィールド期間における最後の水平同期パルスが等間隔にならない場合が生じ得る。
【０００７】
或いは、ビデオデッキにおいてビデオテープを再生することによって生成されたソース信号は、ビデオテープにおけるテープの損傷状態、例えば伸び縮みに影響されている。このため、水平走査期間を一定期間にする信号処理が行われる場合がある。そして、係る信号処理の際にも、１フィールド期間内で、殆ど全ての水平走査期間を一定期間にすることは可能であるが、最後の１水平走査期間が等間隔とならない事態が生じ得る。
【０００８】
このように最後の１水平走査期間が所定の一定間隔とならない場合、前述したような領域走査では、１フィールド期間の最後の走査信号が供給された走査線に対応する画素部において正常に画像信号の書き込みが、複数の部分領域の各々について行われなくなる恐れがある。これは、最後の走査信号が供給された走査線に対応する画素部の全てに画像信号の書き込みが行われる前に、この走査線に隣接する別の走査線に対応する画素部に書き込まれるべき画像信号が、一部の画素部に書き込まれてしまったり、画像信号の書き込み時間が十分に確保できなかったりする不具合が生じることによる。特に領域走査される一の部分領域の縁が、画像表示領域の中央又は中央付近に位置する場合には、上述したような画像信号の非正常な書き込みは、非常に目立った表示不良を引き起こす可能性がある。
【０００９】
本発明は、上記問題点に鑑み成されたものであり、電気光学装置において領域走査により画像表示を行う場合も、上述したような不具合が発生しても、表示画面上に与える影響を小さくする、即ち正常に画像表示を行うことが可能な駆動回路及び駆動方法、並びにそのような駆動回路を備えてなる電気光学装置、及び該電気光学装置を備えた各種電子機器を提供することを課題とする。
【課題を解決するための手段】
【００１０】
本発明の電気光学装置の駆動回路は上記課題を解決するために、基板上の画像表示領域に、複数のデータ線及び複数の走査線と、前記走査線及び前記データ線に夫々電気的に接続される複数の画素部とを備える電気光学装置を駆動するための駆動回路であって、前記画像表示領域を、前記走査線に沿う分割線により分割して得られる複数の部分領域について、該複数の部分領域に対して交替に且つ各部分領域における前記複数の走査線に対して順番に、走査信号を供給する走査線駆動回路と、表示データに係る垂直同期信号により規定される１フィールド期間毎に垂直帰線期間を空けて分断されるように、且つ前記複数の部分領域の各々を、前記表示データに係る水平同期信号により規定される１水平走査期間を前記複数の部分領域の総数ｎ（但し、ｎは２以上の自然数）で割った１／ｎ水平走査期間で水平走査するように、前記表示データに基づいて画像信号を生成して前記複数のデータ線に供給する画像信号供給回路とを備えており、前記走査線駆動回路は、前記複数の走査線のうち前記画像表示領域における前記走査線に沿った一辺の縁に位置する一の走査線に対する前記走査信号の供給順序が前記１フィールド期間毎に最後になるように、前記走査信号を供給する。
【００１１】
本発明の駆動回路によって駆動される電気光学装置では、画像表示領域において、各画素部は、液晶素子等の表示素子、及び表示素子を駆動するための駆動素子として薄膜トランジスタ（Ｔｈｉｎ Ｆｉｌｍ Ｔｒａｎｓｉｓｔｏｒ；以下適宜、“ＴＦＴ”と称する）等の画素スイッチング素子等を含んでなる。この場合、各画素部において、表示素子は画素スイッチング素子を介して走査線及びデータ線に電気的に接続される。
【００１２】
電気光学装置の駆動時、当該電気光学装置には、ビデオデッキやパーソナルコンピュータ等からソース信号が供給される。そして、ソース信号に基づいて、電気光学装置の外部回路内で、以下のような処理が行われることにより、表示データ、並びにこの表示データに係る垂直同期信号及び水平同期信号が生成される。例えば、電気光学装置の外部回路内で、ソース信号に基づいて、上述したようなダウンコンバートやアップコンバートが行われたり、ビデオデッキ等で生成され、時間軸方向にジッターを有するソース信号における、水平走査期間を一定期間にする信号処理が行われる。従って、このように生成された表示データは、各フィールド期間の最後において、水平走査期間が一定期間でない不完全な表示データとして出力される場合がある。しかるに、本発明によれば、このような不完全な表示データに基づいて特に領域走査によって表示を行う際の不具合が、表示画像上で顕在化しないように構成されている。
【００１３】
そして、水平同期信号及び垂直同期信号並びに表示データに基づいて、電気光学装置の画像表示領域において、次のように領域走査が行われる。
【００１４】
走査線駆動回路は、１フィールド期間に、水平同期信号に基づくタイミングで走査信号を生成し、各部分領域に交替に且つ複数の走査線に、例えば線順次など、順番に走査信号を出力する。例えば、複数の部分領域の総数ｎ＝２である場合、１水平走査期間の前半に位置する１／２水平走査期間に、二つの部分領域のうち一方の部分領域に走査信号が供給され、１水平走査期間の後半に位置する１／２水平走査期間に、二つの部分領域のうち他方の部分領域に走査信号が供給される。
【００１５】
また、１水平走査期間の前半に位置する１／２水平走査期間に、画像信号供給回路から供給された画像信号が、一方の部分領域において走査信号が供給されている走査線に対応する画素部にデータ線を介して供給される。これらの画素部では夫々、例えば、走査線より走査信号が供給されて画素スイッチング素子がオン状態とされることにより、画素スイッチング素子を介して表示素子には対応するデータ線より画像信号が供給される。そして、表示素子は画像信号に基づいて画像表示を行う。
【００１６】
また、１水平走査期間の後半に位置する１／２水平走査期間に、画像信号供給回路から供給された画像信号が、他方の部分領域において走査信号が供給されている走査線に対応する画素部にデータ線を介して供給される。そして、これらの画素部は、一方の部分領域の画素部と同様に、画像表示を行う。
【００１７】
このように、複数の部分領域の総数ｎ＝２である場合、１フィールド期間における各１水平走査期間に二つの部分領域が交互に水平走査される。ここで、１フィールド期間の最後の１水平走査期間において、後半の１／２水平走査期間に、最後の走査信号が他方の部分領域に供給される。最後の走査信号は、他方の部分領域において、画像表示領域における走査線に沿った一辺に面する一の走査線に供給され、この一の走査線に対応する画素部が水平走査される。そして、他方の部分領域において水平走査が終了すると、垂直帰線期間が開始され、１フィールド期間が終了される。
【００１８】
よって、最後の水平走査期間が一定期間でない場合も、この最後の１水平走査期間が１／２水平走査期間以上の長さであれば、画像表示領域に表示される表示画面上に視認されるほどの表示不良は発生しない。即ち、最後の１水平走査期間が１／２水平走査期間以上の長さであって一定期間でないと、一の走査線に対応する画素部に対する画像信号の書き込みが正常に行われない恐れがある。しかしながら、この場合、水平走査期間が等間隔でないために書き込みを正常に行うには不完全となる画像信号については、それが書き込まれる画素部は、画像表示領域の縁に位置するため、表示画面上に視認されるほどの表示不良は発生しない。このような画素部は、画像表示領域の縁に多少見えてもよいし、額縁等により隠される領域内に配置されてもよく、或いは、ダミー画素部とされてもよい。
【００１９】
或いは、最後の水平走査期間の終了時が、垂直帰線期間内であれば、画像表示領域における各画素部の画像信号の書き込みは正常に行われるため、表示画面上に何ら影響しない。
【００２０】
以上の結果、本発明によれば、各フィールド期間の最後に位置する水平走査期間における不完全な表示データに基づいて、領域走査によって表示を行う際の不具合が、表示画面上で顕在化しないので、画質を向上させるのに大変有益である。
【００２１】
以上では、特に複数の部分領域の総数ｎ＝２の場合について説明したが、本発明の電気光学装置の駆動回路によれば、時間軸上で、１フィールド期間の最後の水平走査期間の一定期間からのずれを、最大で、部分領域の総数ｎに対して、１／ｎ水平走査期間内以下に抑えておけば、上述の如き効果が得られる。即ち、電気光学装置の外部回路における信号処理の自由度を高めると共に、各フィールド期間の最後の１水平走査期間に係る時間的なズレのマージンを比較的大きく取れるので、実践上大変有利である。
【００２２】
本発明の電気光学装置の駆動回路の一態様では、前記画像信号供給回路は、前記１フィールド期間を前記総数ｎで割った１／ｎフィールド期間で、前記画像表示領域を垂直走査するように、前記画像信号を生成する。
【００２３】
この態様によれば、１／ｎフィールド期間毎に画像表示領域に一画面が表示される。即ち、１フィールド期間に、画像表示領域にｎ画面を表示することが可能となる。
【００２４】
本発明の駆動回路の他の態様では、前記画像信号供給回路は、前記画像信号を、基準電位に対して正極性及び負極性の電圧のいずれかに夫々調整しつつ生成する。
【００２５】
この態様によれば、画像信号供給回路は、画像表示領域において、複数の部分領域のうち対となる二つの部分領域について、一方の部分領域の画素部と、他方の部分領域の画素部とが、互いに異なる極性の画像信号に基づいて画像表示を行うように、画像信号を供給すると共に、各部分領域の画素部には、所定周期で、異なる極性の画像信号を供給する。これにより、画像表示領域において部分領域毎に、面反転駆動を行うことが可能となる。
【００２６】
本発明の駆動回路の他の態様では、前記垂直同期信号及び前記水平同期信号に基づいて、前記１フィールド期間における最後の前記１水平走査期間が、前記最後の走査信号の供給期間の開始時以降、前記垂直帰線期間の終了時以内の期間内に終了するように、前記最後の１水平走査期間の長さを調整する補正回路を更に備える。
【００２７】
この態様によれば、補正回路によって、最後の１水平走査期間の長さが調整されることにより、時間軸上で、１フィールド期間の最後の水平走査期間の一定期間からのずれが調整される。これにより、最後の１水平走査期間を、最後の走査信号の供給期間内、又は垂直帰線期間内に終了させることができる。よって、この態様によれば、各フィールド期間の最後に位置する水平走査期間における不完全な表示データに基づいて、領域走査によって表示を行う際の不具合が、表示画面上で顕在化しないようにすることが可能となる。
【００２８】
本発明の電気光学装置の駆動回路の他の態様では、前記複数の部分領域は、前記分割線により分割して得られる二つの部分領域であり、前記走査線駆動回路は、前記二つの部分領域に対して交互に且つ前記各部分領域における前記走査線に対して線順次に前記走査信号を供給する。
【００２９】
この態様によれば、１フィールド期間の最後の１水平走査期間が１／２水平走査期間以上の長さであれば、各フィールド期間の最後に位置する水平走査期間における不完全な表示データに基づいて、領域走査によって表示を行う際の不具合が、表示画面上で顕在化しないようにすることが可能となる。
【００３０】
本発明の電気光学装置の駆動回路の他の態様では、前記複数の部分領域は夫々、前記分割線により分割して得られる四つの部分領域であり、前記走査線駆動回路は、前記四つの部分領域に対して交替に且つ前記各部分領域における前記走査線に対して線順次に前記走査信号を供給する。
【００３１】
この態様によれば、１水平走査期間において、１／４水平走査期間毎に、各部分領域の画素部に画像信号が書き込まれる。そして、１フィールド期間の最後の１水平走査期間において、最後の１／４水平走査期間に、画像表示領域における走査線に沿った一辺に面する一の走査線に対応する画素部が水平走査される。よって、最後の１水平走査期間が３／４水平走査期間以上の長さであれば、各フィールド期間の最後に位置する水平走査期間における不完全な表示データに基づいて、領域走査によって表示を行う際の不具合が、表示画面上で顕在化しないようにすることが可能となる。
【００３２】
本発明の電気光学装置は、上記課題を解決するために、上述した本発明の電気光学装置の駆動回路（但し、その各種態様も含む）を備える。
【００３３】
本発明の電気光学装置によれば、上述したような本発明の駆動回路によって電気光学装置を駆動することにより、画像表示領域における表示画像の品質を向上させることが可能となる。
【００３４】
本発明の電子機器は上記課題を解決するために、上述した本発明の電気光学装置（但し、その各種態様も含む）を具備する。
【００３５】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Digital  Light  Processing）等を実現することも可能である。
【００３６】
本発明の電気光学装置の駆動方法は上記課題を解決するために、基板上の画像表示領域に、複数のデータ線及び複数の走査線と、前記走査線及び前記データ線に夫々電気的に接続される複数の画素部とを備える電気光学装置を駆動するための駆動方法であって、前記画像表示領域を、前記走査線に沿う分割線により分割して得られる複数の部分領域について、該複数の部分領域に対して交替に且つ各部分領域における前記複数の走査線に対して順番に、走査信号を供給する第１工程と、表示データに係る垂直同期信号により規定される１フィールド期間毎に垂直帰線期間を空けて分断されるように、且つ前記複数の部分領域の各々を、前記表示データに係る水平同期信号により規定される１水平走査期間を前記複数の部分領域の総数ｎ（但し、ｎは２以上の自然数）で割った１／ｎ水平走査期間で水平走査するように、前記表示データに基づいて画像信号を生成して前記複数のデータ線に供給する第２工程とを備えており、前記第１工程では、前記複数の走査線のうち前記画像表示領域における前記走査線に沿った一辺の縁に位置する一の走査線に対する前記走査信号の供給順序が前記１フィールド期間毎に最後になるように、前記走査信号を供給する。
【００３７】
本発明の駆動方法では、上述した本発明の駆動回路と同様、各フィールド期間の最後に位置する水平走査期間における不完全な表示データに基づいて、領域走査によって表示を行う際の不具合が、表示画面上で顕在化しないので、画質を向上させるのに大変有益である。また、電気光学装置の外部回路における信号処理の自由度を高めると共に、各フィールド期間の最後の１水平走査期間に係る時間的なズレのマージンを比較的大きく取れるので、実践上大変有利である。
【００３８】
本発明の電気光学装置の駆動方法の一態様では、前記第２工程では、前記１フィールド期間を前記総数ｎで割った１／ｎフィールド期間で、前記画像表示領域を垂直走査するように、前記画像信号を生成する。
【００３９】
この態様によれば、１フィールド期間に、画像表示領域にｎ画面を表示することが可能となる。
【００４０】
本発明の電気光学装置の駆動方法の他の態様では、前記第２工程では、前記画像信号を、基準電位に対して正極性及び負極性の電圧のいずれかに夫々調整しつつ生成する。
【００４１】
この態様によれば、画像表示領域において部分領域毎に、面反転駆動を行うことが可能となる。
【００４２】
本発明のこのような作用及び他の利得は次に説明する実施の形態から明らかにされる。
【発明を実施するための最良の形態】
【００４３】
以下では、本発明の実施の形態について図を参照しつつ説明する。以下の実施形態は、本発明の電気光学装置を液晶装置に適用したものである。
【００４４】
＜１；第１実施形態＞
先ず、本発明の電気光学装置に係る第１実施形態について、図１から図１１を参照して説明する。
【００４５】
＜１−１；電気光学装置の全体構成＞
本発明の電気光学装置たる液晶装置における、電気光学パネルの一例としての液晶パネルの全体構成について、図１及び図２を参照して説明する。ここに、図１は、ＴＦＴアレイ基板をその上に形成された各構成要素と共に対向基板の側から見た液晶パネルの概略的な平面図であり、図２は、図１のＨ−Ｈ’断面図である。ここでは、駆動回路内蔵型のＴＦＴアクティブマトリクス駆動方式の液晶パネルを例にとる。
【００４６】
図１及び図２において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４７】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。
【００４８】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４９】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺のいずれかに沿い、且つ、前記額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続されるようにする。
【００５０】
また、対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００５１】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００５２】
なお、図１及び図２には図示しないが、ＴＦＴアレイ基板１０上には、データ線駆動回路１０１や走査線駆動回路１０４等に加えて、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５３】
＜１−２；電気光学装置の全体構成＞
液晶装置の全体構成について、図３及び図４を参照して説明する。ここに、図３は、液晶装置の全体構成を示すブロック図であり、図４は、液晶パネルの電気的な構成を示すブロック図である。
【００５４】
図３に示すように、液晶装置は、主要部として、液晶パネル１００、画像信号供給回路３００、第１フレームメモリ６２及び第２フレームメモリ６３、タイミング制御回路４００、表示データ生成回路５０２、並びに電源回路７００を備える。
【００５５】
表示データ生成回路５０２は、例えばビデオデッキやパーソナルコンピュータ等から供給されるソース信号ＤＡＴＡに基づいて、水平同期信号Ｈｓ及び垂直同期信号Ｖｓ、ドットクロックＤＣＬＫ、並びに表示データＤ０を生成する。ここで、例えば、表示データ生成回路５０２で、ソース信号ＤＡＴＡに基づいて、既に説明したようなダウンコンバートやアップコンバートが行われたり、ビデオデッキ等で生成され、時間軸方向にジッターを有するソース信号における、水平走査期間を一定期間にする信号処理が行われる。従って、このように生成された表示データＤ０は、各フィールド期間の最後において、水平走査期間が一定期間でない不完全な表示データとして出力される場合がある。尚、各フィールド期間の最後の１水平走査期間の一定期間からのずれを調整するために、表示データ生成回路５０２には、後述するように、１フィールド期間の１水平走査期間の時間的な長さを調整する補正回路５０１が含まれている。
【００５６】
タイミング制御回路４００は、各部で使用される各種タイミング信号を出力するように構成されている。タイミング制御回路４００は、表示データ生成回路５０２から供給される水平同期信号Ｈｓ、垂直同期信号Ｖｓ及びドットクロックＤＣＬＫに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。更に、タイミング制御回路４００において、後述する走査信号の出力タイミングを決定する２種のイネーブル信号ＥＮＢ１及びＥＮＢ２が生成される。
【００５７】
また、本実施形態では、本発明に係る広義の「画像信号供給回路」の主要部には、図３に示す画像信号供給回路３００並びに第１及び第２フレームメモリ６２及び６３に加えてデータ線駆動回路１０１が含まれる。
【００５８】
画像信号供給回路３００には、表示データ生成回路５０２から水平同期信号Ｈｓ、垂直同期信号Ｖｓ、ドットクロックＤＣＬＫ、及び表示データＤ０が供給される。画像信号供給回路３００は、表示データＤ０に基づいて、２種のフィールドデータを生成し、後述するように一の走査線に対して走査信号が供給される周期で、生成した２種のフィールドデータを第１フレームメモリ６２及び第２フレームメモリ６３の一方に一時期的に蓄えると共に、他方からは蓄積した１種のフィールドデータを読み出す。尚、２種のフィールドデータには夫々、一画面を表示するための表示データが含まれている。
【００５９】
そして、画像信号供給回路３００は、読み出した１種のフィールドデータに対して所定の処理を行う。この所定の処理の一例として、画像信号供給回路３００では、例えば１種のフィールドデータをシリアル−パラレル変換して、Ｎ相、例えば６相（Ｎ＝６）の画像信号ＶＩＤ１〜ＶＩＤ６を生成することがある。更に、画像信号供給回路３００は、生成した画像信号ＶＩＤｋ（但し、ｋ＝１、２、・・・、６）の電圧を、所定の基準電位ｖ０に対して正極性及び負極性に反転した後、画像信号ＶＩＤｋを出力する。
【００６０】
また、電源回路７００は、所定の共通電位ＬＣＣの共通電源を、図２に示す対向電極２１に供給する。本実施形態において、対向電極２１は、図２に示す対向基板２０の下側に、複数の画素電極９ａと対向するように形成されている。
【００６１】
次に、液晶パネル１００における電気的な構成について説明する。
【００６２】
図２に示すように、液晶パネル１００には、そのＴＦＴアレイ基板１０の周辺領域に、走査線駆動回路１０４及びデータ線駆動回路１０１を含む内部駆動回路が設けられている。
【００６３】
走査線駆動回路１０４は、具体的には後述するが、Ｙクロック信号ＣＬＹ、反転Ｙクロック信号ＣＬＹｉｎｖ 、及びＹスタートパルスＤＹが供給されることによって、基本的な線順次の水平走査が可能となっている。更に、走査線駆動回路１０４は、供給されたイネーブル信号ＥＮＢ１及びＥＮＢ２に基づくタイミングで、後述するような順序で走査信号Ｇ１、Ｇ２、・・・、Ｇｙを出力する。
【００６４】
本実施形態では、データ線駆動回路１０１の主要部には、サンプリング信号供給回路１０１ａ、及びサンプリング回路１０１ｂが含まれる。サンプリング信号供給回路１０１ａには、Ｘクロック信号ＣＬＸ、反転Ｘクロック信号ＣＬＸｉｎｖ、及びＸスタートパルスＤＸが供給される。サンプリング信号供給回路１０１ａは、ＸスタートパルスＤＸが入力されると、Ｘクロック信号ＣＬＸ及び反転Ｘクロック信号ＸＣＬＸｉｎｖに基づくタイミングで、サンプリング信号Ｓ１、・・・、Ｓｘを順次生成して出力する。
【００６５】
サンプリング回路１０１ｂは、Ｐチャネル型又はＮチャネル型の片チャネル型ＴＦＴ若しくは相補型のＴＦＴから構成されたサンプリングスイッチ２０２を複数備える。
【００６６】
液晶パネル１００は更に、そのＴＦＴアレイ基板の中央を占める画像表示領域１０ａに、縦横に配線されたデータ線１１４及び走査線１１２を備え、それらの交点に対応する各画素部７０に、マトリクス状に配列された液晶素子１１８の画素電極９ａ及び画素電極９ａをスイッチング制御するためのＴＦＴ１１６を備える。
【００６７】
尚、本実施形態では特に、走査線１１２の総本数をｙ本（但し、ｙは２以上の自然数）とし、データ線１１４の総本数をｘ本（但し、ｘは２以上の自然数）として説明する。
【００６８】
前述したように、例えば、６相にシリアル−パラレル展開された画像信号ＶＩＤ１〜ＶＩＤ６は夫々、画像信号線１７１を介して液晶パネル１００に供給される。
【００６９】
サンプリング回路１０１ｂにおいて、Ｎ個、本実施形態では６個のサンプリングスイッチ２０２を１群とし、１群に属するサンプリングスイッチ２０２には夫々、サンプリング信号Ｓｉ（ｉ＝１、２、・・・、ｘ）が入力される。１群に属するサンプリングスイッチ２０２は、Ｎ本、本実施形態では６本のデータ線１１４を１群とし、１群に属するデータ線１１４に対し、サンプリング信号Ｓｉに応じて、画像信号ＶＩＤｋをサンプリングして供給する。即ち、１群に属するサンプリングスイッチ２０２を介して、１群に属するデータ線１１４と画像信号線１７１が電気的に接続される。従って、本実施形態では、ｘ本のデータ線１１４を１群に属するデータ線１１４毎に駆動するため、駆動周波数が抑えられる。
【００７０】
図４中、一つの画素部７０の構成に着目すれば、ＴＦＴ１１６のソース電極には、画像信号ＶＩＤｋが供給されるデータ線１１４が電気的に接続されている一方、ＴＦＴ１１６のゲート電極には、走査信号Ｇｊ（但し、ｊ＝１、２、３、・・・、ｙ）が供給される走査線１１２が電気的に接続されるとともに、ＴＦＴ１１６のドレイン電極には、液晶素子１１８の画素電極９ａが接続されている。ここで、各画素部７０において、液晶素子１１８は、画素電極９ａと対向電極２１との間に液晶を挟持してなる。従って、各画素部７０は、走査線１１２とデータ線１１４との各交点に対応して、マトリクス状に配列されることになる。
【００７１】
液晶素子１１８の画素電極９ａには、ＴＦＴ１１６を一定期間だけそのスイッチを閉じることにより、データ線１１４より画像信号ＶＩＤｋが所定のタイミングで供給される。これにより、液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤｋに応じたコントラストをもつ光が出射する。
【００７２】
ここで、保持された画像信号がリークするのを防ぐために、蓄積容量１１９が、液晶素子１１８と並列に付加されている。例えば、画素電極１１８の電圧は、ソース電圧が印加された時間よりも３桁も長い時間だけ蓄積容量１１９により保持されるので、保持特性が改善される結果、高コントラスト比が実現されることとなる。
【００７３】
＜１−３；電気光学装置の動作＞
次に、図１から図４に加えて、図５から図１０を参照して液晶装置の動作について説明する。
【００７４】
先ず、図５を参照して、図１又は図４に示す走査線駆動回路１０４の詳細な構成について説明する。図５には、走査線駆動回路１０４の構成の一例を示してある。
【００７５】
ここで、以下では、説明を簡単にするため走査線１１２の総本数ｍ＝４とし、且つ、図５に示すように画像表示領域１０ａを走査線１１２に沿う分割線６００により二等分して得られる第１部分領域１０ａａ及び第２部分領域１０ａｂを領域走査する場合について、即ち複数の部分領域の総数ｎ＝２の場合の領域走査について説明する。
【００７６】
図５において、走査線駆動回路１０４の主要部には、Ｙクロック信号ＣＬＹ、反転Ｙクロック信号ＣＬＹｉｎｖ、及びＹスタートパルスＤＹ が入力されるＹ側シフトレジスタ１０４ａと、４本の走査線１１２に対応する４つの論理回路からなる出力制御部１０４ｂとが含まれる。１つの論理回路は、例えばＮＡＮＤ回路６７及びＮＯＴ回路６８を含み、ＮＡＮＤ回路６７には、Ｙ側シフトレジスタ１０４ａからの一の出力信号と、２種のイネーブル信号ＥＮＢ１及びＥＮＢ２のいずれか一方とが入力される。また、各ＮＡＮＤ回路６７の出力信号は、ＮＯＴ回路６８を介して、対応する走査線１１２に走査信号Ｇ１、Ｇ２、Ｇ３、Ｇ４として出力される。
【００７７】
次に、図１から図５に加えて図６から図９を参照して、第１部分領域１０ａａ及び第２部分領域１０ａｂに対して行われる領域走査について詳細に説明する。図６は、画像信号供給回路３００における画像信号ＶＩＤｋの生成について説明するための説明図であり、図７は、走査線駆動回路１０４の動作について説明するためのタイミングチャートであり、図８は、各データ線１１４及び各走査線１１２を駆動するための各種信号の経時的変化を示すタイミングチャートである。更に図９には、本実施形態における領域走査を概念的に説明するための説明図を示してある。
【００７８】
図６において、画像信号供給回路３００は、垂直同期信号Ｖｓによって規定される１フィールド期間において、１／２フィールド期間毎に、１種のフィールドデータに基づいて、画像表示領域１０ａに一画面を表示するため画像信号ＶＩＤｋを以下のように生成する。尚、図６には、複数の部分領域の総数ｎ＝２とし、走査線１１２の総本数がｍ＝４と限定しない場合における、画像信号ＶＩＤｋの生成に係る説明図を示してある。画像信号供給回路３００は、水平同期信号Ｈｓによって規定される１水平走査期間において、この１水平走査期間の前半に位置する１／２水平走査期間に、画像信号ＶＩＤｋの電圧を、基準電位ｖ０、及びこの基準電位ｖ０に対して正極性の表示電位ｖａ（＋）によって規定される第１表示電圧に調整し、この１水平走査期間の後半に位置する１／２水平走査期間に、画像信号ＶＩＤｋの電圧を、基準電位ｖ０及びこの基準電位ｖ０に対して負極性の表示電位ｖｂ（−）によって規定される第２表示電圧に調整する。図６には、第１表示電圧に調整された画像信号ＶＩＤｋを画像信号Ａとし、第２表示電圧に調整された画像信号ＶＩＤｋを画像信号Ｂとして示してある。尚、画像信号Ａ及び画像信号Ｂの極性は夫々、１／２フィールド期間毎に基準電位ｖ０に対して極性反転される。
【００７９】
そして、画像信号供給回路３００において、１フィールド期間毎に、最後の１水平走査期間において画像信号Ｂの供給が終了した後に、垂直帰線期間を規定する画像信号ＶＩＤｋが供給される。
【００８０】
次に、１／２フィールド期間における領域走査について図７及び図８を参照して説明する。
【００８１】
１／２フィールド期間では、図５に示す走査線駆動回路１０４から、走査信号Ｇ１、Ｇ２、Ｇ３、Ｇ４が第１部分領域１０ａａ及び第２部分領域１０ａｂに対して交替に供給されると共に、第１部分領域１０ａａ及び第２部分領域１０ａｂでは夫々、走査線１１２の配列方向に沿って、当該部分領域１０ａａ若しくは１０ａｂの上から下に向かって各走査線１１２に走査信号Ｇ１及びＧ２若しくはＧ３及びＧ４が順次供給される。
【００８２】
図７に示すように、Ｙ側シフトレジスタ１０４ａからの出力信号ＳＲ１〜ＳＲ４は、第１部分領域１０ａａ及び第２部分領域１０ａｂをあたかも同時に水平走査するように、夫々の走査線１１２に対して同じタイミングで出力される。即ち、第１部分領域１０ａａ及び第２部分領域１０ａｂにおいて夫々第１番目に走査信号Ｇｊが供給される走査線１１２に対応する出力信号ＳＲ１、ＳＲ３と、第２番目に走査信号Ｇｊが供給される走査線１１２に対応する出力信号ＳＲ２、ＳＲ４とは、１水平走査期間毎に順次出力される。尚、ここでは走査線の総本数ｍ＝４として説明しているため、この場合に限って、出力信号ＳＲ１、ＳＲ３と、出力信号ＳＲ２、ＳＲ４とは、１水平走査期間毎に交互に出力されることとなる。一方、イネーブル信号ＥＮＢ１，ＥＮＢ２は夫々、１／２水平走査期間毎に交互にローレベルからハイレベルに立ち上がる。よって、出力信号ＳＲ１〜ＳＲ４のうち、イネーブル信号ＥＮＢ１，ＥＮＢ２のいずれかの立ち上がりタイミング時に出力された一つが論理回路において選択され、走査信号Ｇｊとして走査線１１２に出力される。その結果、図７に示すように、走査信号Ｇ１〜Ｇ４が夫々、走査線駆動回路１０４から、１／２水平走査期間毎に順次出力されることとなる。
【００８３】
図８において、時刻ｔ０に１／２フィールド期間が開始されると、第１部分領域１０ａａにおいて、走査線駆動回路１０４より当該第１部分領域１０ａａの第１番目の走査信号Ｇ１が対応する第１番目の走査線１１２に供給される。
【００８４】
そして、時刻ｔ１から時刻ｔ２までの画像信号供給期間に、画像信号Ａが画像信号供給回路３００から供給される。また、画像信号供給期間に、シフトレジスタ出力であるサンプリング信号Ｓ１、Ｓ２，・・・、Ｓｎが順にサンプリング信号供給回路１０１ａから供給され、サンプリング回路１０１ｂにおいて一群に属するサンプリングスイッチ２０２毎に順にオン状態となる。そして、画像信号Ａは、オン状態のサンプリングスイッチ２０２を介してデータ線１１４に供給され、該データ線１１４を介して第１番目の走査線１１２に対応する画素部７０に供給される。
【００８５】
その後、時刻ｔ３に、第２部分領域１０ａｂにおいて、走査線駆動回路１０４より当該第２部分領域１０ａｂの第１番目（走査線駆動回路１０４からの出力順序によれば第２番目）の走査信号Ｇ３が対応する第２番目の走査線１１２に供給される。
【００８６】
そして、時刻ｔ４から時刻ｔ５までの画像信号供給期間に、画像信号Ｂが画像信号供給回路３００から供給される。画像信号Ｂは、サンプリング信号供給回路１０１ａから供給されたサンプリング信号Ｓ１、Ｓ２、・・・、Ｓｎに応じて、１群に属するサンプリングスイッチ２０２毎に順にオン状態となった各サンプリングスイッチ２０２を介して、各データ線１１４に供給される。更に、画像信号Ｂは各データ線１１４を介して第２番目の走査線１１２に対応する画素部７０に供給される。
【００８７】
その後、時刻ｔ６に、第１部分領域１０ａａにおいて、走査線駆動回路１０４より当該第１部分領域１０ａａの第２番目（走査線駆動回路１０４からの出力順序によれば第３番目）の走査信号Ｇ２が対応する第３番目の走査線１１２に供給される。そして、時刻ｔ７から時刻８までの画像信号供給期間に、第１番目の走査線１１２に対応する画素部７０と同様に、第３番目の走査線１１２に対応する画素部７０に画像信号Ａが供給される。
【００８８】
続いて、時刻ｔ９に、第２部分領域１０ａｂにおいて、走査線駆動回路１０４より当該第２部分領域１０ａｂの第２番目（走査線駆動回路１０４からの出力順序によれば第４番目）の走査信号Ｇ４が対応する第４番目の走査線１１２に供給される。時刻ｔ１０から時刻１１までの画像信号供給期間に、第２番目の走査線１１２に対応する画素部７０と同様に、第４番目の走査線１１２に対応する画素部７０に画像信号Ｂが供給される。
【００８９】
その後、時刻ｔ１２に１／２フィールド期間が終了する。以上説明したように、図９において、１／２フィールド期間の各１水平走査期間において、この１水平走査期間の前半に位置する１／２水平走査期間に、第１部分領域１０ａａにおける走査線１１２に対応する画素部７０に画像信号Ａが書き込まれた後、この１水平走査期間の後半に位置する１／２水平走査期間に、第２部分領域１０ａｂの走査線１１２に対応する画素部７０に画像信号Ｂが書き込まれる。そして、１／２フィールド期間毎に、画像表示領域１０ａには１画面を表示すると共に、画像信号供給回路３００が画像信号Ａ及びＢを夫々極性反転することにより、第１部分領域１０ａａ及び第２部分領域１０ａｂは夫々面反転駆動されることとなる。
【００９０】
ここで、図６に戻り、１フィールド期間の最後の１水平走査期間において、この最後の１水平走査期間の後半の１／２水平走査期間に、最後の走査信号Ｇ４が、第２部分領域１０ａｂの、最後の、即ち第４番目の走査線１１２に供給される。そして、画像信号供給回路３００より画像信号Ｂが供給され、第４番目の走査線１１２に対応する画素部７０が水平走査される。第４番目の走査線１１２に対応する画素部７０の水平走査が終了すると、画像信号供給回路３００から、垂直帰線期間を規定する画像信号ＶＩＤｋが出力される。
【００９１】
本実施形態では、表示データ生成回路５０２には、１フィールド期間の最後の１水平走査期間の時間的な長さを調整する補正回路５０１が含まれている。図１０及び図１１を参照して補正回路５０１の構成及び動作の一例について説明する。図１０は、補正回路５０１の構成を示すブロック図であって、図１１は、補正回路５０１の動作を説明するためのフローチャートである。
【００９２】
図１０において、補正回路５０１には、カウンタ５１０、検出部５１０、並びに３種の論理回路５１４、５１６、及び５１８が含まれる。
【００９３】
補正回路５０１には、表示データ生成回路５０２において、ソース信号ＤＡＴＡに基づいて生成された水平同期信号Ｈｓ０、垂直同期信号Ｖｓ及びドットクロックＤＣＬＫが入力される。表示データ生成回路５０２は、時間軸上で連続する２つの水平同期信号Ｈｓ０の間隔が所定の間隔となるように生成する。これにより、１フィールド期間における各１水平走査期間は一定期間となる。しかしながら、水平同期信号Ｈｓ０の総数が、垂直同期信号Ｖｓの総数の整数倍とならないような場合、１フィールド期間の最後の１水平走査期間が、時間軸上で一定期間とならないこともある。即ち、表示データ生成回路５０２において生成された、時間軸上で連続する２つの水平同期信号Ｈｓ０の間隔は所定の間隔であるとは限らない。
【００９４】
カウンタ５１２は、時間軸上で連続して入力される二つの水平同期信号Ｈｓ０の各々の入力タイミングの間隔が、一定期間である１水平走査期間の時間的な長さの半分となるように、即ち１／２水平走査期間と同等の長さであるかをカウントし、１／２水平走査期間以上の長さであれば、出力信号Ｃ１が出力される。尚、時間軸上で連続する位置にある二つの出力信号Ｃ１の間隔は、一定期間である１水平走査期間と同等の長さとなる。
【００９５】
他方、カウンタ５１２より出力される出力信号Ｃ２は、水平同期信号Ｈｓ０の入力タイミングで、ローレベルからハイレベルに立ち上がり、出力信号Ｃ１の出力タイミングでハイレベルからローレベルに立ち下がる。出力信号Ｃ２は、時間軸上で、一定期間である１水平走査期間の長さの半分、即ち１／２水平走査期間と同等の長さでハイレベルとなる信号である。
【００９６】
検出部５１０は、出力信号Ｃ２に基づいて、時間軸上で、連続する位置にある２つの水平同期信号Ｈｓ０の各々の入力タイミングの間隔が、一定期間である１水平走査期間の長さの半分、即ち１／２水平走査期間の長さより短かった場合に、２つの水平同期信号Ｈｓ０のうち相対的に後に入力された水平同期信号Ｈｓ０について検出信号Ｃ３を出力する。
【００９７】
論理回路５１４は、出力信号Ｃ１及び検出信号Ｃ３の論理積（ＡＮＤ）を演算して、出力信号Ｃ４を出力する。また、論理回路５１６は、出力信号Ｃ２がローレベルのときに、水平同期信号Ｈｓ０が入力された場合に、出力信号Ｃ５を出力する。更に、論理回路５１８は、二つの出力信号Ｃ４及びＣ５の論理和（ＯＲ）を演算して、出力タイミングが補正された水平同期信号Ｈｓを出力する。
【００９８】
次に、図１１を参照して、補正回路５０１の動作について説明する。図１１において、時刻ｔ５１において、１フィールド期間の最後の水平同期信号Ｈｓ０が、補正回路５０１に入力される。ここで、最後の水平同期信号Ｈｓ０の入力タイミングと、この最後の水平同期信号Ｈｓ０より前に連続して入力された水平同期信号Ｈｓ０の入力タイミングとの時間的な間隔は、一定期間である１水平走査期間と同等の長さであり、１／２水平走査期間以上の長さとなっているため、カウンタ５１０より出力信号Ｃ１及び出力信号Ｃ２が出力される。また、論理回路５１６より、出力信号Ｃ５が出力されると共に、論理回路５１８より水平同期信号Ｈｓが出力される。そして、表示データ生成回路５０２から、１フィールド期間の最後の水平同期信号Ｈｓが出力される。
【００９９】
続いて、時刻ｔ５２において、１フィールド期間が終了されると共に、最後の水平同期信号Ｈｓ０に連続する次の水平同期信号Ｈｓ０が、補正回路５０１に入力される。この次の水平同期信号Ｈｓ０の入力タイミングと、最後の水平同期信号Ｈｓ０の入力タイミングとの間隔は、時間軸上で１／２水平走査期間の長さより短くなっている。検出部５１０は、出力信号Ｃ２がハイレベルの期間に、次の水平同期信号Ｈｓ０が入力されたため、検出信号Ｃ３を出力する。また、時刻ｔ５２において、論理回路５１６より出力信号Ｃ５は出力されない。更に、時刻ｔ５２において、出力信号Ｃ１は出力されていない状態にあるため、論理回路５１４より出力信号Ｃ４も出力されず、そのため、論理回路５１８から水平同期信号Ｈｓも出力されない。
【０１００】
続いて、時刻ｔ５３において、出力信号Ｃ１が出力されると共に、検出信号Ｃ３がハイレベルであるため、論理回路５１４より出力信号Ｃ４が出力される。そして、論理回路５１８より、水平同期信号Ｈｓが出力される。
【０１０１】
ここで、時刻ｔ５１において、出力された水平同期信号Ｈｓの出力タイミングと、時刻ｔ５３において、出力された水平同期信号Ｈｓの出力タイミングとによって規定される、１フィールド期間の最後の１水平走査期間の間隔は１／２水平走査期間と同等の長さに補正されている。
【０１０２】
図６に戻り、そもそも、１フィールド期間の最後の１水平走査期間は、一定期間であるのが好ましい。しかしながら、最後の１水平走査期間が一定期間より短い場合でも、最後の１水平走査期間は、補正回路５０１によって、１／２水平走査期間と同等の長さに補正される。よって、最後の１水平走査期間の一定期間からのずれｄｔは、１／２水平走査期間と同等の長さに調整される。尚、本実施形態では、補正回路５０１によって、最後の１水平走査期間の一定期間からのずれｄｔを１／２水平走査期間よりも短くなるように調整してもよい。
【０１０３】
この場合、図６に示すように、第４番目の走査線１１２に対応する画素部７０への画像信号Ｂの書き込みが正常に行われなくなる恐れがある。しかしながら、この場合、水平走査期間が等間隔でないために書き込みを正常に行うには不完全となる画像信号Ｂについては、それが書き込まれる画素部７０は、画像表示領域１０ａの縁に位置するため、表示画面上に視認されるほどの表示不良は発生しない。或いは、最後の水平走査期間の終了時が、垂直帰線期間内であれば、画像表示領域１０ａにおける各画素部７０の画像信号の書き込みは正常に行われるため、表示画面上に何ら影響しない。
【０１０４】
よって、以上説明した本実施形態によれば、各フィールド期間の最後に位置する水平走査期間における不完全な表示データＤ０に基づいて、領域走査によって表示を行う際の不具合が、表示画面上で顕在化しないので、画質を向上させるのに大変有益である。また、表示データ生成回路５０２における信号処理の自由度を高めると共に、各フィールド期間の最後の１水平走査期間に係る時間的なズレのマージンを比較的大きく取れるので、実践上大変有利である。
【０１０５】
＜２；第２実施形態＞
次に、本発明の電気光学装置に係る第２実施形態について説明する。第２実施形態において、電気光学装置としての液晶装置は、第１実施形態と比較して、液晶パネルの構成が異なる。よって、以下では、液晶装置の構成及び動作について、第１実施形態と異なる点についてのみ、図１２から図１４を参照して説明する。尚、第１実施形態と同様の構成については同一の符号を付して示し、重複する説明は省略する。
【０１０６】
先ず、図１２を参照して、第２実施形態の液晶パネルの構成について説明する。図１２は、第２実施形態における液晶パネルの電気的な構成を示すブロック図である。
【０１０７】
図１２に示すように、液晶パネル１００において、画像表示領域１０ａには、ダミー領域１０ｃが設けられている。ダミー領域１０ｃにおいて、走査線１１２及びデータ線１１４の交差に対応して、画像表示には寄与しないダミー画素部７０ａが形成されている。ダミー画素部７０ａの構成は、概ね画像表示領域１０ａにおける画素部７０の構成と同様である。尚、ダミー画素部７０ａは画像表示に寄与しないため、液晶素子１１８やＴＦＴ１１６等の駆動素子は形成されてもよいし、形成されなくてもよい。
【０１０８】
次に、図１２に加えて、図１３を参照して、第２実施形態における液晶装置の動作について説明する。図１３は、は、第２実施形態における領域走査を概念的に説明するための説明図である。尚、第２実施形態では、液晶装置の全体的な構成は、第１実施形態と同様である。よって、液晶装置の全体的な構成について、図３を参照して説明する。
【０１０９】
以下では、説明を簡単にするため走査線１１２の総本数ｍ＝４として説明する。この場合、図５と同様に、画像表示領域１０ａを走査線１１２に沿う分割線によって二分して得られる第１部分領域１０ａａ及び第２部分領域１０ａｂについて領域走査が行われる。第２部分領域１０ａｂにはダミー領域１０ｃが含まれている。
【０１１０】
次に、１／２フィールド期間における領域走査について図１３を参照して説明する。
【０１１１】
図１３に示すように、１／２フィールド期間の各１水平走査期間において、この１水平走査期間の前半に位置する１／２水平走査期間に、第１部分領域１０ａａにおける走査線１１２に対応する画素部７０が水平走査され、これらの画素部７０に画像信号Ａが書き込まれる。その後、この１水平走査期間の後半に位置する１／２水平走査期間に、第２部分領域１０ａｂの走査線１１２に対応する画素部７０が水平走査され、これらの画素部７０に画像信号Ｂが書き込まれる。このようにして、画像表示領域１０ａにおいて、第１番目の走査線１１２に対応する画素部７０に画像信号Ａが書き込まれるとともに、第２番目の走査線１１２に対応する画素部７０に画像信号Ｂが書き込まれた後、１／２フィールド期間の最後の１水平期間では、前半に位置する１／２水平走査期間に、第１部分領域１０ａａにおける最後の、即ち、画像表示領域１０ａにおける第３番目の走査線１１２に対応する画素部７０に、画像信号Ａが書き込まれる。そして、１／２フィールド期間の最後の１水平走査期間において、後半に位置する１／２水平走査期間に、第４番目の走査線１１２に対応するダミー画素部７０ａに画像信号Ｂが書き込まれる。
【０１１２】
ここで、表示データ生成回路５０２において、１フィールド期間の最後の１水平走査期間の時間的な長さが、補正回路５０１によって調整される。これにより最後の１水平走査期間の一定期間からのずれｄｔは、１／２水平走査期間と同等かそれよりも短くなるように調整される。最後の１水平走査期間では、この１水平走査期間の後半に位置する１／２水平走査期間にダミー画素部７０ａに対する画像信号Ｂが書き込まれるため、各画素部７０による画像表示に何ら影響しない。よって、第２実施形態でも第１実施形態と同様の利益を享受することが可能である。
【０１１３】
＜３;第３実施形態＞
次に、本発明の電気光学装置に係る第３実施形態について説明する。第３実施形態において、電気光学装置としての液晶装置は、第１実施形態と比較して動作が異なる。よって、以下では、液晶装置の動作について、第１実施形態と異なる点についてのみ、図１４から図１６を参照して説明する。尚、第１実施形態と同様の構成については同一の符号を付して示し、重複する説明は省略する。
【０１１４】
図１４及び図１６は、第３実施形態における領域走査を概念的に説明するための説明図であって、図１５は、第３実施形態の画像信号供給回路における画像信号ＶＩＤｋの生成について説明するための説明図である。尚、第３実施形態では、液晶装置の構成について、第１実施形態と同様であるため、図３及び図４を参照して説明する。
【０１１５】
以下では、走査線１１２の総本数を４ｙ本とし、且つ、図１４に示すように画像表示領域１０ａを走査線１１２に沿う分割線６００により四等分して得られる第１部分領域１０ａａ、第２部分領域１０ａｂ、第３部分領域１０ａｃ、及び第４部分領域１０ａｄについて領域走査する場合、即ち複数の部分領域の総数ｎ＝４の場合の領域走査について説明する。
【０１１６】
第３実施形態では、画像信号供給回路３００は、表示データＤ０に基づいて、４種のフィールドデータを生成する。尚、第３実施形態では、図３に示す第１及び第２フレームメモリ６２及び６３に代えて、４種類のフレームメモリが設けられており、一の走査線に対して走査信号が供給される周期で、４種のフィールドデータを４種のフレームメモリのいずれかに一時期的に蓄えると共に、蓄積した１種のフィールドデータを４種のフレームメモリのいずれかより読み出す。
【０１１７】
図１５において、画像信号供給回路３００は、１フィールド期間において、１／４フィールド期間毎に、１種のフィールドデータに基づいて、画像表示領域１０ａに一画面を表示するための画像信号ＶＩＤｋを生成する。この際、画像信号供給回路３００は、１水平走査期間において、１／４水平走査期間毎に、画像信号ＶＩＤｋの表示電圧を調整する。図１５において、このように表示電圧が調整されることにより１／４水平走査期間毎に生成される画像信号ＶＩＤｋを、４種の画像信号Ａ、Ｂ、Ｃ、及びＤとして示してある。画像信号供給回路３００において、４種類の画像信号Ａ、Ｂ、Ｃ、及びＤは夫々、基準電位ｖ０に対して正極性及び負極性のいずれかの電圧に調整される。
【０１１８】
図１５に示すように、１水平走査期間において、画像信号Ａ、画像信号Ｂ、画像信号Ｃ及び画像信号Ｄは、この順に、画像信号供給回路３００から１／４水平走査期間毎に供給される。更に、画像信号供給回路３００は、１／４フィールド期間毎に、４種類の画像信号Ａ、Ｂ、Ｃ、及びＤの極性を夫々基準電位ｖ０に対して反転させる。
【０１１９】
次に、１／４フィールド期間における領域走査について図１６を参照して説明する。
【０１２０】
第３実施形態では、走査線駆動回路１０４から、１水平走査期間において、第１部分領域１０ａａ、第２部分領域１０ａｂ、第３部分領域１０ａｃ、及び第４部分領域１０ａｄに、走査信号Ｇｊが交替に供給されると共に、１／４フィールド期間において、第１部分領域１０ａａ、第２部分領域１０ａｂ、第３部分領域１０ａｃ、及び第４部分領域１０ａｄでは夫々、走査線１１２の配列方向に沿って、当該部分領域１０ａａ、１０ａｂ、１０ａｃ若しくは１０ａｄの上から下に向かって各走査線１１２に走査信号Ｇｊが順次供給される。尚、１水平走査期間において、第１部分領域１０ａａ、第２部分領域１０ａｂ、第３部分領域１０ａｃ、第４部分領域１０ａｄの順に、走査信号Ｇｊが１／４水平走査期間毎に供給される。
【０１２１】
よって、図１６に示すように、１／４フィールド期間の各１水平走査期間において、１／４水平走査期間に、第１部分領域１０ａａにおける走査線１１２に対応する画素部７０が水平走査され、これらの画素部７０に画像信号Ａが書き込まれた後、この１／４水平走査期間に続く次の１／４水平走査期間に、第２部分領域１０ａｂの走査線１１２に対応する画素部７０が水平走査され、これらの画素部７０に画像信号Ｂが書き込まれる。続いて、１水平走査期間の後半の２／４水平走査期間のうち前半の１／４水平走査期間に、第３部分領域１０ａｃの走査線１１２に対応する画素部７０が水平走査され、これらの画素部７０に画像信号Ｃが書き込まれた後、残る最後の１／４水平走査期間に、第４部分領域１０ａｄの走査線１１２に対応する画素部７０が水平走査され、これらの画素部７０に画像信号Ｄが書き込まれる。そして、１／４フィールド期間に、画像表示領域１０ａに一画面が表示される。尚、画像信号供給回路３００は、第１部分領域１０ａａ、第２部分領域１０ａｂ、第３部分領域１０ａｃ、及び第４部分領域１０ａｄのうち対となる二つの部分領域が互いに異なる極性の画像信号に基づいて駆動されるように画像信号Ａ、Ｂ、Ｃ、及びＤを生成する。そして、画像信号Ａ、Ｂ、Ｃ、及びＤの電圧が夫々１／４フィールド期間毎に極性反転されることにより、第１部分領域１０ａａ、第２部分領域１０ａｂ、第３部分領域１０ａｃ、及び第４部分領域１０ａｄは夫々面反転駆動される。
【０１２２】
第３実施形態では、図１５において、１フィールド期間の最後の１水平走査期間の一定期間からのずれｄｔ１が、補正回路５０１によって、１／４水平走査期間と同等かそれよりも短くなるように調整される。
【０１２３】
最後の１水平走査期間では、最後の１／４水平走査期間内に、画像信号Ｄが第４部分領域１０ａｄの最後の走査線１１２に対応する画素部７０に書き込まれる。よって、最後の走査線１１２に対応する画素部７０への画像信号Ｄの書き込みが正常に行われなくなる恐れがある。しかしながら、第４部分領域１０ａｄの最後の走査線１１２に対応する画素部７０は、画像表示領域１０ａの縁に位置するため、表示画面上に視認されるほどの表示不良は発生しない。或いは、最後の水平走査期間の終了時が、垂直帰線期間内であれば、画像表示領域１０ａにおける各画素部７０の画像信号の書き込みは正常に行われるため、表示画面上に何ら影響しない。よって、第３実施形態においても第１及び第２実施形態と同様の利益を享受することができる。
【０１２４】
＜４；電子機器＞
次に、上述した液晶装置を各種の電子機器に適用する場合について説明する。
【０１２５】
＜４−１：プロジェクタ＞
まず、この液晶装置をライトバルブとして用いたプロジェクタについて説明する。図１７は、プロジェクタの構成例を示す平面配置図である。この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブ１１１０Ｒ、１１１０Ｂおよび１１１０Ｇに入射される。これら３つのライトバルブ１１１０Ｒ、１１１０Ｂおよび１１１０Ｇは夫々液晶装置を含む液晶モジュールを用いて構成されている。
【０１２６】
ライトバルブ１１１０Ｒ、１１１０Ｂおよび１１１０Ｇにおいて液晶パネル１００は、画像信号供給回路３００から供給されるＲ、Ｇ、Ｂの原色信号でそれぞれ駆動されるものである。そして、これらの液晶パネル１００によって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【０１２７】
ここで、各ライトバルブ１１１０Ｒ、１１１０Ｂおよび１１１０Ｇによる表示像について着目すると、ライトバルブ１１１０Ｇによる表示像は、ライトバルブ１１１０Ｒ、１１１０Ｂによる表示像に対して左右反転することが必要となる。
【０１２８】
なお、ライトバルブ１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【０１２９】
＜４−２：モバイル型コンピュータ＞
次に、液晶装置を、モバイル型のパーソナルコンピュータに適用した例について説明する。図１８は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【０１３０】
＜４−３；携帯電話＞
さらに、液晶装置を、携帯電話に適用した例について説明する。図１９は、この携帯電話の構成を示す斜視図である。図において、携帯電話１３００は、複数の操作ボタン１３０２とともに、反射型の液晶装置１００５を備えるものである。この反射型の液晶装置１００５にあっては、必要に応じてその前面にフロントライトが設けられる。
【０１３１】
尚、図１７から図１９を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【０１３２】
本発明は、上述した実施形態に限られるものではなく、請求の範囲及び明細書全体から読み取れる発明の要旨或いは思想に反しない範囲で適宜変更可能であり、そのような変更を伴う電気光学装置の駆動回路及び駆動方法、該駆動回路を備えてなる電気光学装置、並びに該電気光学装置を備えてなる電子機器もまた本発明の技術的範囲に含まれるものである。
【図面の簡単な説明】
【０１３３】
【図１】液晶パネルの全体構成を示す平面図である。
【図２】図１のＨ−Ｈ’断面図である。
【図３】液晶装置の全体構成を示すブロック図である。
【図４】液晶パネルの電気的な構成を示すブロック図である。
【図５】走査線駆動回路の構成の一例を示す図である。
【図６】画像信号供給回路における画像信号の生成について説明するための説明図である。
【図７】走査線駆動回路の動作について説明するためのタイミングチャートである。
【図８】各データ線及び各走査線を駆動するための各種信号の経時的変化を示すタイミングチャートである。
【図９】本実施形態における領域走査を概念的に説明するための説明図である。
【図１０】補正回路の構成を示すブロック図である。
【図１１】補正回路の動作を説明するためのフローチャートである。
【図１２】第２実施形態における液晶パネルの電気的な構成を示すブロック図である。
【図１３】第２実施形態における領域走査を概念的に説明するための説明図である。
【図１４】第３実施形態における領域走査を概念的に説明するための説明図（その１）である。
【図１５】第３実施形態の画像信号供給回路における画像信号の生成について説明するための説明図である。
【図１６】第３実施形態における領域走査を概念的に説明するための説明図（その２）である。
【図１７】液晶装置を適用した電子機器の一例たるプロジェクタの構成を示す平面図である。
【図１８】液晶装置を適用した電子機器の一例たるパーソナルコンピュータの構成を示す斜視図である。
【図１９】液晶装置を適用した電子機器の一例たる携帯電話の構成を示す斜視図である。
【符号の説明】
【０１３４】
１０ａ…画像表示領域、１０ａａ…第１部分領域、１０ａｂ…第２部分領域、１０ａｃ…第３部分領域、１０ａｄ…第４部分領域、１０…ＴＦＴアレイ基板、６２…第１フレームメモリ、６３…第２フレームメモリ、７０…画素部、１０１…データ線駆動回路、１０４…走査線駆動回路、１１２…走査線、１１４…データ線、３００…画像信号供給回路、５０２…表示データ生成回路、
【図１】
2006065291.tif 000003
【図２】
2006065291.tif 000004
【図３】
2006065291.tif 000005
【図４】
2006065291.tif 000006
【図５】
2006065291.tif 000007
【図６】
2006065291.tif 000008
【図７】
2006065291.tif 000009
【図８】
2006065291.tif 000010
【図９】
2006065291.tif 000011
【図１０】
2006065291.tif 000012
【図１１】
2006065291.tif 000013
【図１２】
2006065291.tif 000014
【図１３】
2006065291.tif 000015
【図１４】
2006065291.tif 000016
【図１５】
2006065291.tif 000017
【図１６】
2006065291.tif 000018
【図１７】
2006065291.tif 000019
【図１８】
2006065291.tif 000020
【図１９】
2006065291.tif 000021